(57)【要約】      （修正有）【課題】異なる発電の供給源を組合せることによって、エネルギーの自給自足という目的を達成する緑の建築を提供する。【解決手段】パイプは建築本体内に設置し、パイプ内部には液体を有する。加圧装置はパイプに接続して液体を駆動して建築本体に循環流動させて緑の建築の室内温度を調節する。緑の建築１は建築本体２、パイプ３、加圧装置４を含み、建築本体２は複数の柱２１、少なくとも１面の壁２２、少なくとも１本の横梁２３と屋根２４を含む。柱２１と横梁２３は連接して屋根２４を支持する。壁２２は柱２１と柱２１の間に形成し、パイプ３は建築本体２内に設置し、内部には液体３１を有する。【選択図】図１
0003155916.tif 000002
【実用新案登録請求の範囲】
【請求項１】
緑の建築において、
複数本の柱、少なくとも１面の壁、少なくとも１本の横梁、通風口を有する屋根、及び風力発電機を含み、前記複数本の柱と前記横梁は連接して前記屋根を支持し、前記壁は前記複数本の柱の間に形成し、前記風力発電機を建築本体に統合して設置する建築本体と、
前記建築本体内に設置し、内部に液体を有するパイプと、
前記パイプに接続して前記液体を駆動し、建築本体に循環流動させる加圧装置と、
を含むことを特徴とする緑の建築。
【請求項２】
前記加圧装置は、循環流動する前記液体を運用して発電し前記加圧装置に給電する発電機をさらに含むことを特徴とする請求項1に記載の緑の建築。
【請求項３】
、
屋根に設置され、生じる電気エネルギーが前記加圧装置に使用されるソーラーパネルを設けることを特徴とする請求項1に記載の緑の建築。
【考案の詳細な説明】
【技術分野】
【０００１】
本考案は緑の建築に関し、具体的には天然エネルギーを利用してエネルギーの自給自足を達成する緑の建築に関する。
【背景技術】
【０００２】
先行技術である特許文献１は主にサニタリー設備の改善についてであり、射出成形機と金型の離型部材で一体成形して製造された形状と構造を利用して従来のセラミック製品の多くの欠点を改良している。また、上記の実用新案は風力発電機を設置する構想をも開示しているものの、風力発電機に関してはどのようにして室内温度を調節するかといった内容についての記述がない。
【０００３】
上記の実用新案はどのようにエネルギーを個々の住居の器具に利用するかについての開示に留まり、建築全体の設計については欠如しており、また、どのように天然資源を利用して緑の建築の室内温度を調節するかについても深く検討されていない。こうしたことに鑑みて、本考案は上記の欠点を改善して解決するために、深く研究する共に学術理論の運用と併せて、合理的設計で上記の欠点を効果的に改善した本考案を提案するものである。
【先行技術文献】
【特許文献】
【０００４】
【特許文献１】台湾実用新案Ｍ３２７８９４号明細書
【考案の概要】
【考案が解決しようとする課題】
【０００５】
本考案の目的は、異なる発電の供給源を組合せることによって、エネルギーの自給自足という目的を達成する緑の建築を提供することにある。
【０００６】
本考案のもう１つの目的は、天然エネルギーを上手に利用することによって、その室内温度を調節する緑の建築を提供することにある。
【課題を解決するための手段】
【０００７】
本考案の緑の建築は建築本体、パイプ、加圧装置を含む。建築本体は複数本の柱、少なくとも１面の壁、少なくとも１本の横梁と屋根を含み、柱と横梁は連接して屋根を支持し、少なくとも１面の壁は柱の間に形成する。
【０００８】
本考案のパイプは建築本体内に設置し、パイプ内部には液体を有し、この液体は吸熱／放熱が可能なことから、緑の建築の室内温度を調節する目的を達成することができる。
【０００９】
本考案の加圧装置とパイプは接続されて液体を駆動して建築本体に流動させる。また、太陽エネルギーのような天然エネルギーを供給することによって、加圧装置にエネルギー供給源を提供して、緑の建築自体の自給自足を可能にする。
【図面の簡単な説明】
【００１０】
【図１】本考案の実施例の側面概略図である。
【図２】本考案の別の実施例の側面概略図である。
【図３】本考案のパイプの実施例の概略図である。
【考案を実施するための形態】
【００１１】
以下、添付図面を参照して本考案の実施の形態を詳細に説明する。
【実施例】
【００１２】
図１で示すように、緑の建築１は建築本体２、パイプ３、加圧装置４を含み、前記建築本体２は複数本の柱２１、少なくとも１面の壁２２、少なくとも１本の横梁２３と屋根２４を含む。柱２１と横梁２３は連接して屋根２４を支持する。壁２２は柱２１と柱２１の間に形成し、前記パイプ３は前記建築本体２内に設置し、内部には液体３１を有し、前記液体３１は水、ＨＦＣ−１３４ａ冷媒、ＨＦＣ−４１０ａ冷媒、ＨＦＣ−４０７Ｃ冷媒、ＨＦＣ−１２５冷媒、ＨＦＣ−３２冷媒、ＨＣＦＣ−２２冷媒、ＨＣＦＣ−１２３冷媒、ＨＣＦＣ−１２４冷媒、ＨＣＦＣ−１４１ｂ冷媒、ＨＣＦＣ−１４２ｂ冷媒、天然冷媒（ＣＯ２、アンモニア、イソブタン、プロパン）又は上記の混合液体等でよく、また同時に建築本体２と共に施工したり、完成後にパイプ３をその中に埋設したりすることができる。前記緑の建築１は建築本体２の底部に設置される土台２５を含み、パイプ３は柱２１、壁２２、加圧装置４、横梁２３、緑の建築１の土台２５の下に設置して延伸させて通す。パイプ３の設置目的は液体３１が適当な位置にあって吸熱／放熱をすることによって、緑の建築１の室内温度を調節する目的を達成する。パイプ３はステンレス管、プラスチック管（ポリエチレン（ＰＥ）、ポリ塩化ビニル（ＰＶＣ）、ポリプロピレン（ＰＰ）、ポリスチレン（ＰＳ）、ポリエチレンテレフタレート（ＰＥＴ）、高密度ポリエチレン（ＨＤＰＥ）、低密度ポリエチレン（ＬＤＰＥ）又は上記の混合素材）、アルミニウム管、アルメル合金管、Nd-Fe-B合金管、アルニコ合金管、サマリウムコバルト合金管又は上記の混合管から選択する。パイプ３は熱エネルギー伝導が速く、耐圧性があり、抗腐蝕で、内部保温の素材で構成されているため、金属で構成されるものの、その他室外や特定の湿地である場合は、パイプ３は好ましくはプラスチック管がよい。
【００１３】
また、前記加圧装置４は液体３１のパイプ３内における複数の異なる還流システムを調整制御することができるもので、パイプ３の還流システムの建築本体２内におけるパイプラインは相互に連接することも、また連接しないことも可能であり、建築本体２内や覆われたスペースに設置するほか、加圧装置４は好ましくは往復式のポンプであり、また加圧モータ、遠心力ポンプ、斜流ポンプ、軸流ポンプ、回転ポンプ、水撃ポンプ、渦巻ポンプ、噴射ポンプ、ピストンポンプ、プランジャー・ポンプ、歯車ポンプ、スクリューポンプ又は上記の混合ポンプ等でもよい。
【００１４】
緑の建築１は屋根２４に設置されたソーラーパネル４１を含み、加圧装置４とソーラーパネル４１の間には接続された電線４２が有り、ソーラーパネル４１から生じた電気エネルギーは加圧装置に給電して作動させるために使用され、また加圧装置４とソーラーパネル４１の間は、電気エネルギーの送電が可能なその他の接続方法で接続することもできる。
【００１５】
屋根２４にはその設置方法を内に高く外に低くした通風口２６を設けるが、その目的は外部の風雨が直接通風口２６を伝わって室内に吹き込まないようにすることができることであり、通風口２６の通路内に排気ファン（図示せず）を設置して内外の空気の流れを助長し、通風口２６の設計により、緑の建築の室内温度を調節するエネルギーを自給自足する目的を達成することができる。
【００１６】
図２に示すように、緑の建築１は通風口２６の外側に設置された密閉可能部材２７をも含む。従って、通風口２６の通気路は室内から室外へ、低位置から高位置に設置し、風雨が強い場合に、前記密閉可能部材２７が閉じて風雨が室内に浸入するのを防止することができる。また、前記通風口２６にはセンサ（図示せず）を設置することができ、室外の風速や相対湿度を観測して通風口２６の通風量を自動調整することができる。また、緑の建築１には建築本体２の外に風力発電機５を設置することができるが、風力発電機５は建築本体２の中に統合して設置することもでき、それから生じた電気エネルギーは通風口２６の蓄電装置（図示せず）やその他の蓄電装置内に蓄電することができ、蓄電装置は建築本体２の中に少なくとも１箇所設置することができる。
【００１７】
２本の柱２１の間の露出パイプ３のように、前記パイプ３の一部が建築本体２の構造から露出する以外は、パイプ３はなおも建築本体２に覆われた室内スペースにある。この設計は低温の液体３１で室内の高所の温度を下げて、室内の空気の対流を促進させることができる。このようにして空気が対流し、熱い空気は通風口２６から排出され易く、緑の建築１の夏季における室内温度を下げる。パイプ３の外界との単位接触面積を増やすために、図３で示すように、パイプ３はこれによって湾曲凹部を形成して、液体３１は建築本体２の室内や室外の気体又は建築本体２のコンクリートの固体と熱エネルギーを交換することができる。
【００１８】
柱２１、壁２２、加圧装置４、土台２５、及び土台２５の下にあるパイプ３は図で示すような垂直に湾曲させて設置することができると共に、それぞれの水平湾曲凹部を形成し、これら水平湾曲凹部と垂直湾曲部は互いに垂直となって、大幅にパイプ３の外界との接触面積を増やすことができる。
【符号の説明】
【００１９】
１    緑の建築
２    建築本体
２１  柱
２２  壁
２３  横梁
２４  屋根
２５  土台
２６  通風口
２７  密閉可能部材
３    パイプ
３１  液体
４    加圧装置
４１  ソーラーパネル
４２  電線
５    風力発電機
【図１】
0003155916.tif 000003
【図２】
0003155916.tif 000004
【図３】
0003155916.tif 000005
【手続補正書】
【提出日】平成21年10月5日(2009.10.5)
【手続補正１】
【補正対象書類名】明細書
【補正対象項目名】全文
【補正方法】変更
【補正の内容】
【考案の詳細な説明】
【技術分野】
【０００１】  本考案は緑の建築物に関し、具体的には天然エネルギーを利用してエネルギーの自給自足を達成する緑の建築物に関する。
【背景技術】
【０００２】  先行技術である特許文献１は主にサニタリー設備の改善についてであり、射出成形機と金型の離型部材で一体成形して製造された形状と構造を利用して従来のセラミック製品の多くの欠点を改良している。また、上記の実用新案は風力発電機を設置する構想をも開示しているものの、風力発電機に関してはどのようにして室内温度を調節するかといった内容についての記述がない。【０００３】  上記の実用新案はどのようにエネルギーを個々の住居の器具に利用するかについての開示に留まり、建築全体の設計については欠如しており、また、どのように天然資源を利用して緑の建築物の室内温度を調節するかについても深く検討されていない。こうしたことに鑑みて、本考案は上記の欠点を改善して解決するために、深く研究する共に学術理論の運用と併せて、合理的設計で上記の欠点を効果的に改善した本考案を提案するものである。
【先行技術文献】
【特許文献】
【０００４】
【特許文献１】台湾実用新案Ｍ３２７８９４号明細書
【考案の概要】
【考案が解決しようとする課題】
【０００５】  本考案の目的は、異なる発電の供給源を組合せることによって、エネルギーの自給自足という目的を達成する緑の建築物を提供することにある。【０００６】  本考案のもう１つの目的は、天然エネルギーを上手に利用することによって、その室内温度を調節する緑の建築物を提供することにある。
【課題を解決するための手段】
【０００７】  本考案の緑の建築物は建築本体、パイプ、加圧装置を含む。建築本体は複数本の柱、少なくとも１面の壁、少なくとも１本の横梁と屋根を含み、柱と横梁は連接して屋根を支持し、少なくとも１面の壁は柱の間に形成する。【０００８】  本考案のパイプは建築本体内に設置し、パイプ内部には液体を有し、この液体は吸熱／放熱が可能なことから、緑の建築物の室内温度を調節する目的を達成することができる。【０００９】  本考案の加圧装置とパイプは接続されて液体を駆動して建築本体に流動させる。また、太陽エネルギーのような天然エネルギーを供給することによって、加圧装置にエネルギー供給源を提供して、緑の建築物自体の自給自足を可能にする。
【図面の簡単な説明】
【００１０】
【図１】本考案の実施例の側面概略図である。
【図２】本考案の別の実施例の側面概略図である。
【図３】本考案のパイプの実施例の概略図である。
【考案を実施するための形態】
【００１１】以下、添付図面を参照して本考案の実施の形態を詳細に説明する。
【実施例】
【００１２】  図１で示すように、緑の建築物１は建築本体２、パイプ３、加圧装置４を含み、前記建築本体２は複数本の柱２１、少なくとも１面の壁２２、少なくとも１本の横梁２３と屋根２４を含む。柱２１と横梁２３は連接して屋根２４を支持する。壁２２は柱２１と柱２１の間に形成し、前記パイプ３は前記建築本体２内に設置し、内部には液体３１を有し、前記液体３１は水、ＨＦＣ−１３４ａ冷媒、ＨＦＣ−４１０ａ冷媒、ＨＦＣ−４０７Ｃ冷媒、ＨＦＣ−１２５冷媒、ＨＦＣ−３２冷媒、ＨＣＦＣ−２２冷媒、ＨＣＦＣ−１２３冷媒、ＨＣＦＣ−１２４冷媒、ＨＣＦＣ−１４１ｂ冷媒、ＨＣＦＣ−１４２ｂ冷媒、天然冷媒（ＣＯ２、アンモニア、イソブタン、プロパン）又は上記の混合液体等でよく、また同時に建築本体２と共に施工したり、完成後にパイプ３をその中に埋設したりすることができる。前記緑の建築物１は建築本体２の底部に設置される土台２５を含み、パイプ３は柱２１、壁２２、加圧装置４、横梁２３、緑の建築物１の土台２５の下に設置して延伸させて通す。パイプ３の設置目的は液体３１が適当な位置にあって吸熱／放熱をすることによって、緑の建築物１の室内温度を調節する目的を達成する。パイプ３はステンレス管、プラスチック管（ポリエチレン（ＰＥ）、ポリ塩化ビニル（ＰＶＣ）、ポリプロピレン（ＰＰ）、ポリスチレン（ＰＳ）、ポリエチレンテレフタレート（ＰＥＴ）、高密度ポリエチレン（ＨＤＰＥ）、低密度ポリエチレン（ＬＤＰＥ）又は上記の混合素材）、アルミニウム管、アルメル合金管、Nd-Fe-B合金管、アルニコ合金管、サマリウムコバルト合金管又は上記の混合管から選択する。パイプ３は熱エネルギー伝導が速く、耐圧性があり、抗腐蝕で、内部保温の素材で構成されているため、金属で構成されるものの、その他室外や特定の湿地である場合は、パイプ３は好ましくはプラスチック管がよい。【００１３】  また、前記加圧装置４は液体３１のパイプ３内における複数の異なる還流システムを調整制御することができるもので、パイプ３の還流システムの建築本体２内におけるパイプラインは相互に連接することも、また連接しないことも可能であり、建築本体２内や覆われたスペースに設置するほか、加圧装置４は好ましくは往復式のポンプであり、また加圧モータ、遠心力ポンプ、斜流ポンプ、軸流ポンプ、回転ポンプ、水撃ポンプ、渦巻ポンプ、噴射ポンプ、ピストンポンプ、プランジャー・ポンプ、歯車ポンプ、スクリューポンプ又は上記の混合ポンプ等でもよい。【００１４】  緑の建築物１は屋根２４に設置されたソーラーパネル４１を含み、加圧装置４とソーラーパネル４１の間には接続された電線４２が有り、ソーラーパネル４１から生じた電気エネルギーは加圧装置に給電して作動させるために使用され、また加圧装置４とソーラーパネル４１の間は、電気エネルギーの送電が可能なその他の接続方法で接続することもできる。【００１５】  屋根２４にはその設置方法を内に高く外に低くした通風口２６を設けるが、その目的は外部の風雨が直接通風口２６を伝わって室内に吹き込まないようにすることができることであり、通風口２６の通路内に排気ファン（図示せず）を設置して内外の空気の流れを助長し、通風口２６の設計により、緑の建築物の室内温度を調節するエネルギーを自給自足する目的を達成することができる。【００１６】  図２に示すように、緑の建築物１は通風口２６の外側に設置された密閉可能部材２７をも含む。従って、通風口２６の通気路は室内から室外へ、低位置から高位置に設置し、風雨が強い場合に、前記密閉可能部材２７が閉じて風雨が室内に浸入するのを防止することができる。また、前記通風口２６にはセンサ（図示せず）を設置することができ、室外の風速や相対湿度を観測して通風口２６の通風量を自動調整することができる。また、緑の建築物１には建築本体２の外に風力発電機５を設置することができるが、風力発電機５は建築本体２の中に統合して設置することもでき、それから生じた電気エネルギーは通風口２６の蓄電装置（図示せず）やその他の蓄電装置内に蓄電することができ、蓄電装置は建築本体２の中に少なくとも１箇所設置することができる。【００１７】  ２本の柱２１の間の露出パイプ３のように、前記パイプ３の一部が建築本体２の構造から露出する以外は、パイプ３はなおも建築本体２に覆われた室内スペースにある。この設計は低温の液体３１で室内の高所の温度を下げて、室内の空気の対流を促進させることができる。このようにして空気が対流し、熱い空気は通風口２６から排出され易く、緑の建築物１の夏季における室内温度を下げる。パイプ３の外界との単位接触面積を増やすために、図３で示すように、パイプ３はこれによって湾曲凹部を形成して、液体３１は建築本体２の室内や室外の気体又は建築本体２のコンクリートの固体と熱エネルギーを交換することができる。【００１８】  柱２１、壁２２、加圧装置４、土台２５、及び土台２５の下にあるパイプ３は図で示すような垂直に湾曲させて設置することができると共に、それぞれの水平湾曲凹部を形成し、これら水平湾曲凹部と垂直湾曲部は互いに垂直となって、大幅にパイプ３の外界との接触面積を増やすことができる。
【符号の説明】
【００１９】１    緑の建築物２    建築本体２１  柱２２  壁２３  横梁２４  屋根２５  土台２６  通風口２７  密閉可能部材３    パイプ３１  液体４    加圧装置４１  ソーラーパネル４２  電線５    風力発電機
【手続補正２】
【補正対象書類名】実用新案登録請求の範囲
【補正対象項目名】全文
【補正方法】変更
【補正の内容】
【実用新案登録請求の範囲】
【請求項１】
緑の建築物において、  複数本の柱、少なくとも１面の壁、少なくとも１本の横梁、通風口を有する屋根、及び風力発電機を含み、前記複数本の柱と前記横梁は連接して前記屋根を支持し、前記壁は前記複数本の柱の間に形成し、前記風力発電機を建築本体に統合して設置する建築本体と、前記建築本体内に設置し、内部に液体を有するパイプと、前記パイプに接続して前記液体を駆動し、建築本体に循環流動させる加圧装置と、を含むことを特徴とする緑の建築物。
【請求項２】
前記加圧装置は、循環流動する前記液体を運用して発電し前記加圧装置に給電する発電機をさらに含むことを特徴とする請求項1に記載の緑の建築物。
【請求項３】
屋根に設置され、生じる電気エネルギーが前記加圧装置に使用されるソーラーパネルを設けることを特徴とする請求項1に記載の緑の建築物。